(57)【要約】  【課題】  架台フレーム無しで太陽電池パネル同士を連結できると共に屋根面に取付けるのに、高さ調整を不要とし、施工性の向上を図り、工期を短縮すること。  【解決手段】  太陽電池パネル１の一側面に嵌合枠体２を及び他側面に被嵌合枠体３を取付け、該被嵌合枠体３の裏面に連結部９と円柱状の嵌合部１０とを有する支持嵌合体８を設け、前記嵌合部１０が回動可能に嵌合する被嵌合部１７を備え屋根１１上に固定される支持金具１２を設け、並設する一方の前記太陽電池パネル１の前記被嵌合枠体３に他方の太陽電池パネル１の前記嵌合枠体２を嵌合させることにより連結すると共に、支持金具１２の被嵌合部１７に支持嵌合体８の嵌合部１０を回動可能に嵌合させて太陽電池パネル１を支持する。  【選択図】  図４
2005256378.tif 000002
【特許請求の範囲】
【請求項１】
平板状の太陽電池パネルの対向する一方の側面に嵌合枠体を取付け、また他方の側面に被嵌合枠体を取付け、並設する一方の前記太陽電池パネルの前記被嵌合枠体に他方の太陽電池パネルの前記嵌合枠体を回動可能に嵌合させることにより連結することを特徴とする太陽電池パネルの連結装置。
【請求項２】
平板状の太陽電池パネルの対向する一方の側面に嵌合枠体を取付けると共に他方の側面に被嵌合枠体を取付け、この被嵌合枠体の裏面に支持嵌合体を設け、被嵌合部を備え屋根上に固定される支持体を設け、並設する一方の前記太陽電池パネルの前記被嵌合枠体に他方の太陽電池パネルの前記嵌合枠体を嵌合させることにより連結すると共に、前記支持体の被嵌合部に前記被嵌合枠体の支持嵌合体を嵌合させることにより太陽電池パネルを支持することを特徴とする太陽電池パネルの支持装置。
【請求項３】
平板状の太陽電池パネルの対向する一方の側面に嵌合枠体を取付けると共に他方の側面に被嵌合枠体を取付け、この被嵌合枠体の裏面に該被嵌合枠体と略等長の連結部と同じく略等長の円柱状の嵌合部とを有する支持嵌合体を設け、前記嵌合部が回動可能に嵌合する被嵌合部を備え屋根上に固定される支持体を設け、並設する一方の前記太陽電池パネルの前記被嵌合枠体に他方の太陽電池パネルの前記嵌合枠体を嵌合させることにより連結すると共に、前記支持体の被嵌合部に前記被嵌合枠体に設けた支持嵌合体の嵌合部を回動可能に嵌合させることにより太陽電池パネルを支持することを特徴とする太陽電池パネルの支持装置。
【請求項４】
平板状の太陽電池パネルの対向する一方の側面に嵌合枠体を取付けると共に他方の側面に被嵌合枠体を取付け、この被嵌合枠体の裏面の両端部に連結部と球状の嵌合部とを有する支持嵌合体を設け、前記嵌合部が回動可能に嵌合する被嵌合部を備え屋根上に固定される支持体を設け、並設する一方の前記太陽電池パネルの前記被嵌合枠体に他方の太陽電池パネルの前記嵌合枠体を嵌合させることにより連結すると共に、前記支持体の被嵌合部に前記被嵌合枠体に設けた支持嵌合体の嵌合部を回動可能に嵌合させることにより太陽電池パネルを支持することを特徴とする太陽電池パネルの支持装置。
【発明の詳細な説明】
【技術分野】
【０００１】
本発明は、太陽電池パネルの連結装置及び太陽電池パネルの支持装置に関する。
【背景技術】
【０００２】
架台フレームや支持金具を利用して、太陽電池モジュールを固定する技術が知られている（例えば、特許文献１参照）。
【特許文献１】特開平１１−２００５６５号公報
【発明の開示】
【発明が解決しようとする課題】
【０００３】
前記文献に記載されたものと同種のものとして、図７に示すものがあり、以下説明する。太陽電池モジュール３０同士を架台フレーム３１上で固定する構造であり、架台フレーム３１に下端がナット３２を介して固定されたボルト３３に断面形状がコ字形状の支持金具３４を嵌挿させて、太陽電池モジュール３０の膨出部３５を架台フレーム３１に支持金具３４が押圧するようにナット３６で締め付けるようにして固定している。
【０００４】
しかし、太陽電池モジュール３０を屋根の瓦上に取付けるのに、前記架台フレーム３１などを介して行うものであった。
【０００５】
また、図８に示すように、太陽電池モジュール３０を屋根３８上に設置する場合において、レベル差があるために高さ調節が必要であるので太陽電池モジュール３０下面に設けた支持金具３７のボルト３９の位置を変えて対応していた。
【０００６】
従って、高さ調整が必要であるため、施工性の面で問題があり、工期も長くなるものであった。特に、和瓦の場合、瓦が波打って高さ調整しにくく、施工しにくいものであった。
【０００７】
そこで本発明は、架台フレーム無しで太陽電池パネル同士を連結できると共に屋根面に取付けるのに、高さ調整を不要とし、施工性の向上を図り、工期を短縮することを目的とする。
【課題を解決するための手段】
【０００８】
上記課題を解決するため、太陽電池パネルの連結装置に係る第１の発明は、平板状の太陽電池パネルの対向する一方の側面に嵌合枠体を取付け、また他方の側面に被嵌合枠体を取付け、並設する一方の前記太陽電池パネルの前記被嵌合枠体に他方の太陽電池パネルの前記嵌合枠体を回動可能に嵌合させることにより連結することを特徴とする。
【０００９】
また、太陽電池パネルの支持装置に係る第２の発明は、平板状の太陽電池パネルの対向する一方の側面に嵌合枠体を取付けると共に他方の側面に被嵌合枠体を取付け、この被嵌合枠体の裏面に支持嵌合体を設け、被嵌合部を備え屋根上に固定される支持体を設け、並設する一方の前記太陽電池パネルの前記被嵌合枠体に他方の太陽電池パネルの前記嵌合枠体を嵌合させることにより連結すると共に、前記支持体の被嵌合部に前記被嵌合枠体の支持嵌合体を嵌合させることにより太陽電池パネルを支持することを特徴とする。
【００１０】
同じく、太陽電池パネルの支持装置に係る第３の発明は、平板状の太陽電池パネルの対向する一方の側面に嵌合枠体を取付けると共に他方の側面に被嵌合枠体を取付け、この被嵌合枠体の裏面に該被嵌合枠体と略等長の連結部と同じく略等長の円柱状の嵌合部とを有する支持嵌合体を設け、前記嵌合部が回動可能に嵌合する被嵌合部を備え屋根上に固定される支持体を設け、並設する一方の前記太陽電池パネルの前記被嵌合枠体に他方の太陽電池パネルの前記嵌合枠体を嵌合させることにより連結すると共に、前記支持体の被嵌合部に前記被嵌合枠体に設けた支持嵌合体の嵌合部を回動可能に嵌合させることにより太陽電池パネルを支持することを特徴とする。
【００１１】
同じく、太陽電池パネルの支持装置に係る第４の発明は、平板状の太陽電池パネルの対向する一方の側面に嵌合枠体を取付けると共に他方の側面に被嵌合枠体を取付け、この被嵌合枠体の裏面の両端部に連結部と球状の嵌合部とを有する支持嵌合体を設け、前記嵌合部が回動可能に嵌合する被嵌合部を備え屋根上に固定される支持体を設け、並設する一方の前記太陽電池パネルの前記被嵌合枠体に他方の太陽電池パネルの前記嵌合枠体を嵌合させることにより連結すると共に、前記支持体の被嵌合部に前記被嵌合枠体に設けた支持嵌合体の嵌合部を回動可能に嵌合させることにより太陽電池パネルを支持することを特徴とする。
【発明の効果】
【００１２】
本発明によれば、架台フレーム無しで太陽電池パネル同士を連結できると共に屋根面に取付けるのに、高さ調整を不要とし、施工性の向上を図り、工期を短縮することができる。
【発明を実施するための最良の形態】
【００１３】
以下、本発明の実施の形態を図に基づき説明する。先ず、図１に示すように、太陽電池パネル１は、平板状に縦横に複数配列されている。即ち、太陽電池パネル１は太陽電池セルが組み込まれ、平面視矩形状であって、その表面には例えば強化ガラス板などが積層されている。
【００１４】
このような太陽電池パネル１の対向する長辺の一方の側面には嵌合枠体２が図示しない固定手段を介して取付けられ、また同じく長辺の他方の側面には被嵌合枠体３が図示しない固定手段を介して取付けられる。
【００１５】
前記嵌合枠体２は、前記太陽電池パネル１の一側面に取付けられるもので太陽電池パネル１の長辺の長さと略等長の平板状の固定部４と、この固定部４に連結された固定部４と略等長の円柱状の嵌合部５とを備えている。
【００１６】
前記被嵌合枠体３は、前記太陽電池パネル１の他側面に取付けられるもので該太陽電池パネル１の長辺の長さと略等長の平板状の固定部６と、この固定部６に連結された固定部６と略等長であって前記嵌合枠体２の嵌合部５が回動可能に嵌合すると共に嵌合した状態で抜けずに前記嵌合枠体２の固定部４が移動できるように一部切除された中空円筒状の被嵌合部７と、後述する支持嵌合体８とを備えている。この被嵌合部７は外側中央部が一部切除された中空円筒状を呈しており、前記太陽電池パネル１を隣設（並設）する際に該太陽電池パネル１に取付けられる前記嵌合枠体２の嵌合部５が前記被嵌合枠体３の被嵌合部７に嵌合することにより複数の太陽電池パネル１同士が連結されることとなるが、被嵌合部7内を嵌合部５が回動できる程度の余裕があるように工夫されている。
【００１７】
即ち、前記太陽電池パネル１を隣設（並設）すべく、前記太陽電池パネル１同士を連結する際に、一方の太陽電池パネル１に取付けられた前記被嵌合枠体３の被嵌合部７の一方の端部から他方の太陽電池パネル１用の前記嵌合枠体２の嵌合部５の他方の端部を挿入して被嵌合部７内を摺動させながら、完全に嵌合させることができ、しかも屋根面に多少の段差があっても、確実に前記太陽電池パネル１同士を連結することができる。
【００１８】
また、前記被嵌合枠体３の被嵌合部７の裏面の長手方向における一端部には、支持嵌合体８が設けられている。この支持嵌合体８は、前記被嵌合部７に連結された前記被嵌合部７と略等長の連結部９と、この連結部９に連結された同じく前記被嵌合部７と略等長の円柱状の嵌合部１０とを備えている。
【００１９】
次に、図３乃至図５に基づき、上述したように前記太陽電池パネル１同士を連結すると共に、これらを屋根１１上に設置する場合について説明する。１２は支持部材としての支持金具で、この支持金具１２は螺子孔１３に例えばビス（図示せず）が螺合することにより屋根１１上に固定される固定部１４と、この固定部１４の中央部に連結される連結部１５と、この連結部１５に連結され嵌合部１０が嵌合された状態で前記連結部９が移動できるように且つ嵌合部１０が抜けないように上部中央部が一部切除されると共に両側面にネジ１８が挿入される複数の螺子孔１６を有する略中空円筒状の被嵌合部１７とを備えている。
【００２０】
以下、必要な数、即ち６枚の太陽電池パネル１を設置する場合を例として説明する。初めに、太陽電池パネル１には、前述の如く予め一側面に嵌合枠体２が取付けられ、他側面に被嵌合枠体３が取付けられているものとして、以下説明する。
【００２１】
先ず、３個の支持金具１２を最左の縦１列に配置し、固定部１４の螺子孔１３にビス（図示せず）を螺合することにより屋根１１上の所定位置に固定する。
【００２２】
次に、Ａ及びＤの位置に太陽電池パネル１を取付けるために、各嵌合部１０を支持金具１２の被嵌合部１７にそれぞれ摺動させながら嵌合させて、前後２個の被嵌合枠体３を最左の縦１列３個の支持金具１２に取付け、次いでこの前後２個の被嵌合枠体３に一側面に取付けられた嵌合枠体２を介して２枚の太陽電池パネル１を取付ける。
【００２３】
この場合、Ａの位置に取付ける太陽電池パネル１に取付けられた嵌合枠体２の嵌合部５の奥側の端部をこの太陽電池パネル１用の被嵌合枠体３の被嵌合部７の手前側の端部に挿入して摺動させながら奥方へ移動させ、全長分嵌合させて、最初の太陽電池パネル１をこの太陽電池パネル１用の被嵌合枠体３に嵌合枠体２を介して取付けると共に、Ｄの位置に取付ける太陽電池パネル１に取付けられた嵌合枠体２の嵌合部５の手前側の端部をこの太陽電池パネル１用の被嵌合枠体３の被嵌合部７の奥側の端部に挿入して摺動させながら前方へ移動させ、全長分嵌合させて、２枚目の太陽電池パネル１をこの太陽電池パネル１用の被嵌合枠体３に嵌合枠体２を介して取付ける。
【００２４】
次に、Ａ及びＤの位置に取付ける太陽電池パネル１に取付けられた被嵌合枠体３の嵌合部１０を被嵌合部１７に嵌合させた状態の３個の支持金具１２を左から２番目の縦１列に配置して、固定部１４の螺子孔１３にビス（図示せず）を螺合することにより屋根１１上の所定位置に固定する。
【００２５】
次いで、前列・中列・後列の左から１個目と２個目の計６個の支持金具１２の被嵌合部１７のいずれかの側面の螺子孔１６にネジ１８を挿入することにより、Ａ及びＤの位置にある太陽電池パネル１をこれら複数の支持金具１２で支持する。
【００２６】
この場合、中列の支持金具１２は、手前側と奥側の太陽電池パネル１の両者を支持することとなる。
【００２７】
次いで、３枚目の（Ｂの位置の）太陽電池パネル１に取付けられた嵌合枠体２の嵌合部５の奥側の端部をＡの位置にある太陽電池パネル１に取付けられた被嵌合枠体３の被嵌合部７の手前側の端部に挿入して摺動させながら奥方へ移動させ、全長分嵌合させて最初の太陽電池パネル１と３枚目の太陽電池パネル１とを連結する。
【００２８】
そして、４枚目の（Ｅの位置の）太陽電池パネル１に取付けられた嵌合枠体２の嵌合部５の手前側の端部をＤの位置にある太陽電池パネル１に取付けられた被嵌合枠体３の被嵌合部７の奥側の端部に挿入して摺動させながら手前方向に移動させ、全長分嵌合させて２枚目の太陽電池パネル１と４枚目の太陽電池パネル１とを連結する。
【００２９】
次に、Ｂ及びＥの位置に取付ける太陽電池パネル１に取付けられた被嵌合枠体３の嵌合部１０を被嵌合部１７に嵌合させた状態の３個の支持金具１２を左から３番目の縦１列に配置して、固定部１４の螺子孔１３にビス（図示せず）を螺合することにより屋根１１上の所定位置に固定する。
【００３０】
次いで、前列・中列・後列の左から３個目の計３個の支持金具１２の被嵌合部１７の右側面の螺子孔１６にネジ１８を挿入することにより、Ｂ及びＥの位置にある太陽電池パネル１をこれら複数の支持金具１２で支持する。
【００３１】
次いで、５枚目の（Ｃの位置の）太陽電池パネル１に取付けられた嵌合枠体２の嵌合部５の奥側の端部をＢの位置にある太陽電池パネル１に取付けられた被嵌合枠体３の被嵌合部７の手前側の端部に挿入して摺動させながら奥方へ移動させ、全長分嵌合させて３枚目の太陽電池パネル１と５枚目の太陽電池パネル１とを連結する。
【００３２】
そして、６枚目の（Ｆの位置の）太陽電池パネル１に取付けられた嵌合枠体２の嵌合部５の手前側の端部をＥの位置にある太陽電池パネル１に取付けられた被嵌合枠体３の被嵌合部７の奥側の端部に挿入して摺動させながら手前方向に移動させ、全長分嵌合させて４枚目の太陽電池パネル１と６枚目の太陽電池パネル１とを連結する。
【００３３】
次に、Ｃ及びＦの位置に取付ける太陽電池パネル１に取付けられた被嵌合枠体３の嵌合部１０を被嵌合部１７に嵌合させた状態の３個の支持金具１２を左から４番目の縦１列に配置して、固定部１４の螺孔１３にビス（図示せず）を螺合することにより屋根１１上の所定位置に固定する。
【００３４】
次いで、前列・中列・後列の左から４個目の計３個の支持金具１２の被嵌合部１７の右側面の螺子孔１６にネジ１８を挿入することにより、Ｃ及びＦの位置にある太陽電池パネル１をこれら複数の支持金具１２で支持する。
【００３５】
以上のように、各太陽電池パネル１同士を連結することができると共に屋根１１上に取付けることができる。この場合、屋根１１の上面にレベル差があっても、高さ調節をわざわざしなくても、対応できるものである。
【００３６】
即ち、図５に示すように、屋根１１の上面に傾きがあってレベル差があっても、一方の太陽電池パネル１に取付けられた嵌合枠体２の嵌合部５の手前側の端部を他方の太陽電池パネル１に取付けられた被嵌合枠体３の被嵌合部７の奥側の端部に挿入して摺動させながら、また被嵌合部７内を嵌合部５が回動しながら連結することができると共に、支持金具１２の被嵌合部１７内を前記被嵌合枠体３の被嵌合部７に設けられた支持嵌合体８の嵌合部１０が回動することにより支持することができる。従って、屋根１１の上面にレベル差があっても、高さ調節をわざわざしなくても、対応できるものである。
【００３７】
なお、第１の実施形態では、前記被嵌合枠体３に設けられる支持嵌合体８は前記被嵌合部７に連結された前記被嵌合部７と略等長の連結部９と、この連結部９に連結された同じく前記被嵌合部７と略等長の円柱状の嵌合部１０とを備えている形態であるが、第２の実施形態のように、図６に示すような構造としてもよい。
【００３８】
即ち、前記被嵌合枠体３に設けられる支持嵌合体８Ａは前記被嵌合部７の前端部及び後端部における裏面にそれぞれ設けられ、各支持嵌合体８Ａは前記被嵌合部７に連結された連結部９Ａと、この連結部９Ａに連結された球状の嵌合部１０Ａとから構成される。
【００３９】
従って、球状の各嵌合部１０Ａが各支持金具１２の被嵌合部１７に嵌合することにより、各太陽電池パネル１が各支持金具１２に支持されることとなる。
【００４０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００４１】
【図１】太陽電池パネル、嵌合枠体、被嵌合枠体の分解斜視図である。
【図２】太陽電池パネルに嵌合枠体及び被嵌合枠体を取付けた状態の斜視図である。
【図３】支持金具の斜視図である。
【図４】各太陽電池パネルを連結及び支持した状態の斜視図である。
【図５】屋根上に支持金具を介して太陽電池パネルを取付けた状態を示す図である。
【図６】他の実施形態の被嵌合枠体及び嵌合枠体を太陽電池パネルに取付けた状態の斜視図である。
【図７】従来の太陽電池パネルの連結装置を示す図である。
【図８】屋根上に従来の支持金具を介して太陽電池パネルを取付けた状態を示す図である。
【符号の説明】
【００４２】
１    太陽電池パネル
２    嵌合枠体
３    被嵌合枠体
８    支持嵌合体
９    連結部
１０  嵌合部
１１  屋根
１２  支持金具
１７  被嵌合部
【図１】
2005256378.tif 000003
【図２】
2005256378.tif 000004
【図３】
2005256378.tif 000005
【図４】
2005256378.tif 000006
【図５】
2005256378.tif 000007
【図６】
2005256378.tif 000008
【図７】
2005256378.tif 000009
【図８】
2005256378.tif 000010